【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
異なるトーンインデックスを示すシグナリングを基地局から受信することと、
シングルトーンアップリンク送信中で複数のシンボルを送信することと
を備え、前記複数のシンボル中のシンボルのグループは、前記受信されたシグナリングによって示された前記異なるトーンインデックスを使用して前記シングルトーンアップリンク送信中で送信され、
前記シングルトーンアップリンク送信中で前記複数のシンボルを前記送信することは、
第１のトーンインデックスを使用して第１のシンボルペアの第１のシンボルを送信することと、
前記第１のトーンインデックスとの固定周波数差である第２のトーンインデックスを使用して前記第１のシンボルペアの第２のシンボルを送信することと
を備える、方法。
【請求項２】
前記シングルトーンアップリンク送信が物理アップリンク共有チャネル（ＰＵＳＣＨ）中で送信される場合、前記複数のシンボルは、第１の数の基準信号（ＲＳ）シンボルを含み、
前記シングルトーンアップリンク送信が確認応答（ＡＣＫ）を含む場合、前記複数のシンボルは、第２の数の基準信号（ＲＳ）シンボルを含み、
前記シングルトーンアップリンク送信がチャネル品質情報（ＣＱＩ）を含む場合、前記複数のシンボルは、第３の数の基準信号（ＲＳ）シンボルを含み、
前記第１の数のＲＳシンボル、第２の数のＲＳシンボル、および第３の数のＲＳシンボルは、同じであるか、または、
前記第１の数のＲＳシンボル、第２の数のＲＳシンボル、および第３の数のＲＳシンボルのうちの少なくとも１つは、異なる、
請求項１に記載の方法。
【請求項３】
前記シングルトーンアップリンク送信が物理ランダムアクセスチャネル（ＰＲＡＣＨ）中で送信される場合、前記方法は、
トーン間隔を低減すること、または、
各サブフレーム中で前記複数のシンボルの数を低減すること
のうちの少なくとも１つをさらに備える、請求項１に記載の方法。
【請求項４】
前記シングルトーンアップリンク送信中で前記複数のシンボルを送信するにあたって使用するためのフォーマットを示すシグナリングを基地局から受信することをさらに備え、
前記フォーマットは、サブフレーム持続時間、シンボル持続時間、または前記複数のシンボルに関連付けられたサイクリックプレフィックス（ＣＰ）長のうちの少なくとも１つを含む、
請求項１に記載の方法。
【請求項５】
基地局のワイヤレス通信の方法であって、
少なくとも１つのユーザ機器（ＵＥ）に、シングルトーンアップリンク送信中で複数のシンボルを送信するにあたって使用するための異なるトーンインデックスを示す情報をシグナリングすることと、
前記シングルトーンアップリンク送信中で前記複数のシンボルを受信することと
を備え、前記複数のシンボル中のシンボルのペアは、前記シングルトーンアップリンク送信の前記異なるトーンインデックス中において前記シングルトーンアップリンク送信中で受信され、
前記シングルトーンアップリンク送信中で前記複数のシンボルを前記受信することは、
第１のトーンインデックスを使用して第１のシンボルペアの第１のシンボルを受信することと、
前記第１のトーンインデックスとの固定周波数差である第２のトーンインデックスを使用して前記第１のシンボルペアの第２のシンボルを受信することと
を備える、方法。
【請求項６】
前記異なるトーンインデックスの各トーンインデックスは、異なる周波数に関連付けられる、
請求項１または５に記載の方法。
【請求項７】
前記複数のシンボルは、第１のユーザ機器（ＵＥ）からのシンボルの第１のセットと第２のＵＥからのシンボルの第２のセットとを備え、
前記複数のシンボルは、データシンボルまたは基準信号（ＲＳ）シンボルのうちの少なくとも１つを備える、
請求項５に記載の方法。
【請求項８】
前記異なるトーンインデックスに関連付けられた前記情報は、周波数ホッピングパターンを示す、
請求項１または５に記載の方法。
【請求項９】
前記シングルトーンアップリンク送信が物理アップリンク共有チャネル（ＰＵＳＣＨ）中で受信される場合、前記複数のシンボルは、第１の数の基準信号（ＲＳ）シンボルを含み、
前記シングルトーンアップリンク送信が確認応答（ＡＣＫ）を含む場合、前記複数のシンボルは、第２の数の基準信号（ＲＳ）シンボルを含み、
前記シングルトーンアップリンク送信がチャネル品質情報（ＣＱＩ）を含む場合、前記複数のシンボルは、第３の数の基準信号（ＲＳ）シンボルを含み、
前記第１の数のＲＳシンボル、第２の数のＲＳシンボル、および第３の数のＲＳシンボルは、同じであるか、または、
前記第１の数のＲＳシンボル、第２の数のＲＳシンボル、および第３の数のＲＳシンボルのうちの少なくとも１つは、異なる、
請求項５に記載の方法。
【請求項１０】
前記少なくとも１つのＵＥに、前記シングルトーンアップリンク送信中で前記複数のシンボルを送信するにあたって使用するためのフォーマットに関連付けられた情報をシグナリングすることをさらに備え
前記フォーマットは、サブフレーム持続時間、シンボル持続時間、または前記複数のシンボルに関連付けられたサイクリックプレフィックス（ＣＰ）長のうちの少なくとも１つを含む、
請求項５に記載の方法。
【請求項１１】
シングルトーンアップリンク送信のコーディングスキームは、テイルバイティング畳み込みコード（ＴＢＣＣ）またはデュアルリードマラーコードのうちの少なくとも１つに基づく、請求項１または５に記載の方法。
【請求項１２】
ワイヤレス通信のためのＵＥ装置であって、
異なるトーンインデックスを示すシグナリングを基地局から受信するための手段と、
シングルトーンアップリンク送信中で複数のシンボルを送信するための手段と
を備え、前記複数のシンボル中のシンボルのグループは、前記受信されたシグナリングによって示された前記異なるトーンインデックスを使用して前記シングルトーンアップリンク送信中で送信され、
前記シングルトーンアップリンク送信中で前記複数のシンボルを前記送信するための手段は、
第１のトーンインデックスを使用して第１のシンボルペアの第１のシンボルを送信するための手段と、
前記第１のトーンインデックスとの固定周波数差である第２のトーンインデックスを使用して前記第１のシンボルペアの第２のシンボルを送信するための手段と
を備える、ＵＥ装置。
【請求項１３】
ワイヤレス通信のための基地局装置であって、
少なくとも１つのユーザ機器（ＵＥ）に、シングルトーンアップリンク送信中で複数のシンボルを送信するにあたって使用するための異なるトーンインデックスを示す情報をシグナリングするための手段と、
前記シングルトーンアップリンク送信中で前記複数のシンボルを受信するための手段と
を備え、前記複数のシンボル中のシンボルのペアは、前記シングルトーンアップリンク送信の前記異なるトーンインデックス中において前記シングルトーンアップリンク送信中で受信され、
前記シングルトーンアップリンク送信中で前記複数のシンボルを前記受信するための手段は、
第１のトーンインデックスを使用して第１のシンボルペアの第１のシンボルを受信するための手段と、
前記第１のトーンインデックスとの固定周波数差である第２のトーンインデックスを使用して前記第１のシンボルペアの第２のシンボルを受信するための手段と
を備える、基地局装置。
【請求項１４】
コンピューティングデバイスの処理手段によって実行されると、請求項１乃至１１のいずれか１項に記載の方法を実行するための命令を備える、コンピュータプログラム。
【手続補正２】
【補正対象書類名】明細書
【補正対象項目名】０１４２
【補正方法】変更
【補正の内容】
【０１４２】
[00155]先の説明は、いかなる当業者であっても、ここに説明された様々な態様を実施することを可能にするために提供される。これらの態様への様々な修正は、当業者にとって容易に明らかとなり、ここに定義された包括的な原理は、他の態様に適用されうる。このことから、特許請求の範囲は、ここに示された態様に限定されることを意図されてはいないが、特許請求の範囲の文言と一致する全範囲を付与されるべきであり、ここにおいて、単数形での要素への言及は、そうであると具体的に記載されない限り、「１つおよび１つのみ」を意味することを意図されてはおらず、むしろ「１つまたは複数」を意味する。「例証的（exemplary）」という用語は、ここでは、「例、事例、または例示としての役割を果たすこと」を意味するように使用される。「例証的」であるとしてここに説明されたいずれの態様も、他の態様より好ましいまたは有利であるとして必ずしも解釈されるべきではない。そうでないと具体的に記載されない限り、「何らかの／いくつかの／いくらかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含みうる。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣでありえ、ここで、任意のそのような組み合わせは、Ａ、Ｂ、またはＣの１つまた複数のメンバを包含しうる。当業者に知られているか、または後に知られることとなる、この開示全体を通じて説明された様々な態様の要素と構造的および機能的に同等な物は全て、参照によってここに明確に組み込まれ、特許請求の範囲によって包含されることを意図される。その上、ここに開示されたものはいずれも、そのような開示が特許請求の範囲中に明示的に記載されているかどうかにかかわらず、公に献呈されることを意図されてはいない。「モジュール」、「メカニズム」、「要素」、「デバイス」、等の用語は、「手段」という用語の代用ではないことがありうる。そのため、要素が「〜のための手段」というフレーズを使用して明確に記載されていない限り、どの請求項の要素もミーンズプラスファンクションとして解釈されるべきではない。
以下に、本願出願の当初の特許請求の範囲に記載された発明を付記する。
［Ｃ１］
ユーザ機器（ＵＥ）のワイヤレス通信の方法であって、
異なるトーンインデックスを示すシグナリングを基地局から受信することと、
シングルトーンアップリンク送信中で複数のシンボルを送信することと
を備え、前記複数のシンボル中のシンボルのグループは、前記受信されたシグナリングによって示された前記異なるトーンインデックスを使用して前記シングルトーンアップリンク送信中で送信される、
方法。
［Ｃ２］
前記異なるトーンインデックスの各トーンインデックスは、異なる周波数に関連付けられる、
［Ｃ１］に記載の方法。
［Ｃ３］
前記複数のシンボルは、データシンボルまたは基準信号（ＲＳ）シンボルのうちの少なくとも１つを備える、
［Ｃ１］に記載の方法。
［Ｃ４］
前記シングルトーンアップリンク送信中で前記複数のシンボルを前記送信することは、
第１のトーンインデックスを使用して第１のシンボルペアの第１のシンボルを送信することと、
前記第１のトーンインデックスとの固定周波数差である第２のトーンインデックスを使用して前記第１のシンボルペアの第２のシンボルを送信することと
を備える、［Ｃ１］に記載の方法。
［Ｃ５］
前記シングルトーンアップリンク送信中で前記複数のシンボルを前記送信することは、
前記第１のトーンインデックスを使用して第２のシンボルペアの第３のシンボルを送信することと、
前記第１のトーンインデックスとの前記固定周波数差である前記第２のトーンインデックスを使用して前記第２のシンボルペアの第４のシンボルを送信することと
をさらに備える、［Ｃ４］に記載の方法。
［Ｃ６］
前記シングルトーンアップリンク送信中で前記複数のシンボルを前記送信することは、
前記第２のトーンインデックスに対して非固定周波数差である第３のトーンインデックスを使用して第２のシンボルペアの第３のシンボルを送信することと、
前記第３のトーンインデックスとの固定周波数差である第４のトーンインデックスを使用して前記第２のシンボルペアの第４のシンボルを送信することと
をさらに備える、［Ｃ４］に記載の方法。
［Ｃ７］
前記受信されたシグナリングの前記異なるトーンインデックスは、周波数ホッピングパターンを示す、
［Ｃ１］に記載の方法。
［Ｃ８］
前記シングルトーンアップリンク送信中で前記複数のシンボルを前記送信することは、
前記異なるトーンインデックスを使用してサブフレーム中でデータシンボルの少なくとも１つのペアを送信することと、
前記異なるトーンインデックスを使用して前記サブフレーム中で基準信号（ＲＳ）シンボルの少なくとも１つのペアを送信することと
を備える、［Ｃ１］に記載の方法。
［Ｃ９］
前記シングルトーンアップリンク送信が物理アップリンク共有チャネル（ＰＵＳＣＨ）中で送信される場合、前記複数のシンボルは、第１の数の基準信号（ＲＳ）シンボルを含み、
前記シングルトーンアップリンク送信が確認応答（ＡＣＫ）を含む場合、前記複数のシンボルは、第２の数の基準信号（ＲＳ）シンボルを含み、
前記シングルトーンアップリンク送信がチャネル品質情報（ＣＱＩ）を含む場合、前記複数のシンボルは、第３の数の基準信号（ＲＳ）シンボルを含み、
前記第１の数のＲＳシンボル、第２の数のＲＳシンボル、および第３の数のＲＳシンボルは、同じであるか、または、
前記第１の数のＲＳシンボル、第２の数のＲＳシンボル、および第３の数のＲＳシンボルのうちの少なくとも１つは、異なる、
［Ｃ１］に記載の方法。
［Ｃ１０］
前記シングルトーンアップリンク送信が物理ランダムアクセスチャネル（ＰＲＡＣＨ）中で送信される場合、前記方法は、
トーン間隔を低減すること、または、
各サブフレーム中で前記複数のシンボルの数を低減すること
のうちの少なくとも１つをさらに備える、［Ｃ１］に記載の方法。
［Ｃ１１］
前記シングルトーンアップリンク送信中で前記複数のシンボルを送信するにあたって使用するためのフォーマットを示すシグナリングを基地局から受信することをさらに備え、
前記フォーマットは、サブフレーム持続時間、シンボル持続時間、または前記複数のシンボルに関連付けられたサイクリックプレフィックス（ＣＰ）長のうちの少なくとも１つを含む、
［Ｃ１］に記載の方法。
［Ｃ１２］
前記フォーマットは、ペイロードを伴わないプリアンブルベース、またはペイロードを伴うメッセージベースのいずれかである、
［Ｃ１１］に記載の方法。
［Ｃ１３］
前記シングルトーンアップリンク送信が物理ランダムアクセスチャネル（ＰＲＡＣＨ）中で送信される場合、前記方法は、
アップリンクパイロットタイムスロット（ＵｐＰＴＳ）中で前記シングルトーンアップリンク送信を送信すること、または、
前記ＵｐＰＴＳおよび少なくとも１つの後続のアップリンクサブフレーム中で前記シングルトーンアップリンク送信を送信すること
のうちの少なくとも１つをさらに備える、［Ｃ１］に記載の方法。
［Ｃ１４］
前記シングルトーンアップリンク送信のコーディングスキームは、テイルバイティング畳み込みコード（ＴＢＣＣ）またはデュアルリードマラーコードのうちの少なくとも１つに基づく、
［Ｃ１］に記載の方法。
［Ｃ１５］
基地局のワイヤレス通信の方法であって、
少なくとも１つのユーザ機器（ＵＥ）に、シングルトーンアップリンク送信中で複数のシンボルを送信するにあたって使用するための異なるトーンインデックスを示す情報をシグナリングすることと、
前記シングルトーンアップリンク送信中で前記複数のシンボルを受信することと
を備え、前記複数のシンボル中のシンボルのペアは、前記シングルトーンアップリンク送信の前記異なるトーンインデックス中において前記シングルトーンアップリンク送信中で受信される、
方法。
［Ｃ１６］
前記異なるトーンインデックスの各トーンインデックスは、異なる周波数に関連付けられる、
［Ｃ１５］に記載の方法。
［Ｃ１７］
前記複数のシンボルは、第１のユーザ機器（ＵＥ）からのシンボルの第１のセットと第２のＵＥからのシンボルの第２のセットとを備え、
前記複数のシンボルは、データシンボルまたは基準信号（ＲＳ）シンボルのうちの少なくとも１つを備える、
［Ｃ１５］に記載の方法。
［Ｃ１８］
前記シングルトーンアップリンク送信中で前記複数のシンボルを前記受信することは、
第１のトーンインデックス中で第１のシンボルペアの第１のシンボルを受信することと、
前記第１のトーンインデックスとの固定周波数差である第２のトーンインデックス中で前記第１のシンボルペアの第２のシンボルを受信することと
を備える、［Ｃ１５］に記載の方法。
［Ｃ１９］
前記シングルトーンアップリンク送信中で前記複数のシンボルを前記受信することは、
前記第１のトーンインデックス中で第２のシンボルペアの第３のシンボルを受信することと、
前記第１のトーンインデックスとの前記固定周波数差である前記第２のトーンインデックス中で前記第２のシンボルペアの第４のシンボルを受信することと
をさらに備える、［Ｃ１８］に記載の方法。
［Ｃ２０］
前記シングルトーンアップリンク送信中で前記複数のシンボルを前記受信することは、
前記第２のトーンインデックスに対して非固定周波数差である第３のトーンインデックス中で第２のシンボルペアの第３のシンボルを受信することと、
前記第３のトーンインデックスに対して固定周波数差である第４のトーンインデックス中で前記第２のシンボルペアの第４のシンボルを受信することと
をさらに備える、［Ｃ１８］に記載の方法。
［Ｃ２１］
前記異なるトーンインデックスに関連付けられた前記情報は、周波数ホッピングパターンを示す、
［Ｃ１５］に記載の方法。
［Ｃ２２］
前記シングルトーンアップリンク送信中で前記複数のシンボルを前記受信することは、
前記異なるトーンインデックス中においてサブフレーム中でデータシンボルの少なくとも１つのペアを受信することと、
前記異なるトーンインデックス中において前記サブフレーム中で基準信号（ＲＳ）シンボルの少なくとも１つのペアを受信することと
を備える、［Ｃ１５］に記載の方法。
［Ｃ２３］
前記シングルトーンアップリンク送信が物理アップリンク共有チャネル（ＰＵＳＣＨ）中で受信される場合、前記複数のシンボルは、第１の数の基準信号（ＲＳ）シンボルを含み、
前記シングルトーンアップリンク送信が確認応答（ＡＣＫ）を含む場合、前記複数のシンボルは、第２の数の基準信号（ＲＳ）シンボルを含み、
前記シングルトーンアップリンク送信がチャネル品質情報（ＣＱＩ）を含む場合、前記複数のシンボルは、第３の数の基準信号（ＲＳ）シンボルを含み、
前記第１の数のＲＳシンボル、第２の数のＲＳシンボル、および第３の数のＲＳシンボルは、同じであるか、または、
前記第１の数のＲＳシンボル、第２の数のＲＳシンボル、および第３の数のＲＳシンボルのうちの少なくとも１つは、異なる、
［Ｃ１５］に記載の方法。
［Ｃ２４］
前記シングルトーンアップリンク送信が物理ランダムアクセスチャネル（ＰＲＡＣＨ）中で受信される場合、前記シングルトーンアップリンク送信は、低減されたトーン間隔または各サブフレーム中の低減された数の前記複数のシンボルのうちの少なくとも１つを含む、
［Ｃ１５］に記載の方法。
［Ｃ２５］
シンボルの前記ペア間での位相差に基づいてタイミング推定値を決定することをさらに備える、
［Ｃ１５］に記載の方法。
［Ｃ２６］
前記シングルトーンアップリンク送信の巡回冗長検査（ＣＲＣ）がパスする前に、前記複数のシンボル中の基準信号（ＲＳ）シンボルの位相差に基づいて、前記少なくとも１つのＵＥに関連付けられたタイミングオフセットを決定すること、または、
前記データシンボルを再符号化および再変調することによって前記シングルトーンアップリンク送信の前記ＣＲＣがパスした後で、前記データシンボルと前記ＲＳシンボルとに基づいて、前記少なくとも１つのＵＥの前記タイミングオフセットを決定すること
をさらに備える、［Ｃ１５］に記載の方法。
［Ｃ２７］
前記少なくとも１つのＵＥに、前記シングルトーンアップリンク送信中で前記複数のシンボルを送信するにあたって使用するためのフォーマットに関連付けられた情報をシグナリングすることをさらに備え
前記フォーマットは、サブフレーム持続時間、シンボル持続時間、または前記複数のシンボルに関連付けられたサイクリックプレフィックス（ＣＰ）長のうちの少なくとも１つを含む、
［Ｃ１５］に記載の方法。
［Ｃ２８］
前記フォーマットは、ペイロードを伴わないプリアンブルベース、またはペイロードを伴うメッセージベースのいずれかである、［Ｃ２７］に記載の方法。
［Ｃ２９］
前記シングルトーンアップリンク送信が物理ランダムアクセスチャネル（ＰＲＡＣＨ）中で受信される場合、前記方法は、
アップリンクパイロットタイムスロット（ＵｐＰＴＳ）中で前記シングルトーンアップリンク送信を受信すること、または、
前記ＵｐＰＴＳおよび少なくとも１つの後続のアップリンクサブフレーム中で前記シングルトーンアップリンク送信を受信すること
のうちの少なくとも１つをさらに備える、［Ｃ１５］に記載の方法。
［Ｃ３０］
シングルトーンアップリンク送信のコーディングスキームは、テイルバイティング畳み込みコード（ＴＢＣＣ）またはデュアルリードマラーコードのうちの少なくとも１つに基づく、［Ｃ１５］に記載の方法。